(57)【要約】【課題】フィッシングラインの端部を確実に保持することができ、しかもフィッシングラインをラインガイドに容易に挿通することができるライン案内保持具の提供。【解決手段】このライン案内保持具１０は、本体１３と係止部材１４とを備える。本体１３は、可撓性に優れた紐状に形成されている。係止部材１４は円柱状に形成されている。本体１３は、係止部材１４の中心を貫通している。係止部材１４は、本体１３に対してスライドすることができる。本体１３の線径は、０．５ｍｍ〜１．５ｍｍに設定され、係止部材１４の外径は、３ｍｍ〜１０ｍｍに設定されている。【選択図】図１
2007195486.tif 000002
【特許請求の範囲】
【請求項１】
一端部にフィッシングラインが連結され得る可撓性を備えた線状部材と、
外径寸法が３ｍｍ〜１０ｍｍに設定され、上記線状部材の他端部が軸方向に貫通された円柱状部材とを有するライン案内保持具。
【請求項２】
上記線状部材は樹脂からなり、その外径寸法が０．５ｍｍ〜１．５ｍｍに設定されている請求項１に記載のライン案内保持具。
【請求項３】
上記円柱状部材は、上記線状部材に沿ってスライド可能に設けられている請求項１又は２に記載のライン案内保持具。
【請求項４】
上記円柱状部材は、上記線状部材の一端側から他端側に向かって漸次外径寸法が大きくなるようにテーパ状に形成されている請求項１から３のいずれかに記載のライン案内保持具。
【請求項５】
上記円柱状部材は、弾性部材からなる請求項１から４のいずれかに記載のライン案内保持具。
【発明の詳細な説明】
【技術分野】
【０００１】
本発明は、フィッシングリールに巻き取られたフィッシングラインの端部を保持する道具に関するものである。
【背景技術】
【０００２】
図６は、従来の一般的なソルトウォータフィッシング用のタックルを示す図である。ソルトウォーターフィッシングでは、一般にフィッシングロッド（以下、単に「ロッド」と称される。）１及びこれに装着されるフィッシングリール（以下、単に「リール」と称される。）２が使用される（例えば、特許文献１〜特許文献５参照）。リール２は、長尺のフィッシングライン３を巻き取ることができるものであり、このフィッシングライン３は、ロッド１に設けられた複数のラインガイド４に支持されて当該ロッド１に沿って案内されている。このフィッシングライン３の先端にルアー５が取り付けられており、釣人は、このロッド１の弾力を利用してルアー５を所望のポイントにキャストする。ルアー５のキャスティングに際して、フィッシングライン３がリール２から引き出される。釣人は、リール２を使用してこのフィッシングライン３を巻き取る。すなわち、釣人は、ルアー５をリトリーブすることによってターゲットのバイトを誘う。
【０００３】
ところで、釣用のタックルは、釣人が釣りを始める際に迅速に準備することができ、また、釣りを終了する際に迅速に収納することができるものであることが重要である。具体的には、例えばフィッシングライン３は、釣人が釣りを始める際にリール２から引き出され、各ラインガイド４に順番に挿通されるものであるところ、このときに、フィッシングライン３は、釣人にとって簡単に且つ素早くラインガイド４に挿通し得るものであることが重要である。一方、釣人が釣りを終了する際には、フィッシングライン３はリール２に完全に巻き取られるが、当該フィッシングライン３の端部は、リール２に確実に保持されなけれればならない。なぜなら、もしフィッシングライン３の端部がリール２に保持されないとすれば、リール２に巻き取られたフィッシングライン３は直ちに当該リール２から外れてしまい、絡み合ってしまうおそれがあるからである。
【０００４】
【特許文献１】特開２００５−９５１３１号公報
【特許文献２】特開２００５−１６８３４３号公報
【特許文献３】特開２００５−１７６７１４号公報
【特許文献４】特開２００５−１９２５２７号公報
【特許文献５】特開２００５−１３０７８７号公報
【発明の開示】
【発明が解決しようとする課題】
【０００５】
従来のリールでは、フィッシングラインの端部を保持するためのライン保持機能を備えたものもある。しかし、近年では、特にソルトウォータフィッシング用のリールでは、より滑らかなフィッシングラインのリトリーブの実現を目的として基本的な機能を向上させるための専用設計がなされており、そのため、上記ライン保持機能等の基本機能以外の機能は省略される傾向にある。そのため、釣人は、リールに巻き取られたフィッシングラインの端部を保持するための道具を別途用意しておかなければならなかった。
【０００６】
本発明は、かかる背景のもとになされたものであって、リールに巻き取られたフィッシングラインの端部を確実に保持することができ、しかもフィッシングラインをロッドに設けられたラインガイドに容易に挿通することができるライン案内保持具を提供することである。
【課題を解決するための手段】
【０００７】
(1) 上記目的が達成されるため、本発明に係るライン案内保持具は、一端部にフィッシングラインが連結され得る可撓性を備えた線状部材と、外径寸法が３ｍｍ〜１０ｍｍに設定され、上記線状部材の他端部が軸方向に貫通された円柱状部材とを有する。
【０００８】
長尺のフィッシングラインは予めリールのスプールに巻回されており、このリールは、ロッドに装着される。リールから引き出されたフィッシングラインの先端は、線状部材の一端部に連結される。釣人は、この線状部材を把持し、その他端部からロッドに設けられたラインガイドに挿通する。これにより、フィッシングラインは、上記線状部材に導かれてすべてのラインガイドに順に挿通される。
【０００９】
上記ラインガイドに挿通されたフィッシングラインは、上記線状部材から取り外されると共に、例えばルアーに連結される。これにより、釣人は、釣りを開始することができる。釣りが終了したときに、釣人は、ルアーからフィッシングラインを外し、再び当該フィッシングラインの先端を上記線状部材の一端部に連結する。釣人は、リールを操作してフィッシングラインを巻き取ることにより、上記線状部材もリールに巻き取られることになる。このとき、線状部材が可撓性を備えていることから、フィッシングラインに連続して当該線状部材も容易にリールに巻き取られる。
【００１０】
線状部材に上記円柱状部材が取り付けられており、しかもその外径寸法が前述の寸法に設定されているから、リールが例えばスピニングリールの場合には、この円柱状部材は、ラインローラを通過することができない。また、リールが例えばベイトリールの場合には、上記円柱状部材は、レベルワインダーを通過することができない。したがって、上記線状部材がリールに巻き取られると、上記円柱状部材は、上記ラインローラ又は上記レベルワインダに係止された状態となる。すなわち、この円柱状部材は、フィッシングラインがリールに巻き取られる際のストッパーとして機能し、上記フィッシングラインは、上記線状部材と共にリールに保持される。
【００１１】
(2) 上記線状部材は樹脂からなり、その外径寸法が０．５ｍｍから１．５ｍｍに設定されているのが好ましい。
【００１２】
この構成では、上記線状部材が十分な可撓性を備えるから、フィッシングライン及び当該線状部材のリールへの巻取りが円滑に行われる。
【００１３】
(3) 上記円柱状部材は、上記線状部材に沿ってスライド可能に設けられているのが好ましい。
【００１４】
この構成では、上記円柱状部材が上記ラインローラ又はレベルワインダに係止した状態で、線状部材は、円柱状部材に対して相対的にスライドしつつリールに巻き取られる。この円柱状部材が線状部材に対してスライドすると、釣人は、そのスライド抵抗を感じることができる。したがって、釣人は、フィッシングラインに続いて線状部材が順に巻取られていることを認識することができ、その結果、フィッシングラインの巻取作業中に突然に上記円柱状部材が上記ラインローラ等に激しく衝突し、ライン案内保持具が破損するようなことはない。
【００１５】
(4) 上記円柱状部材は、上記線状部材の一端側から他端側に向かって漸次外径寸法が大きくなるようにテーパ状に形成されているのが好ましい。
【００１６】
この構成では、上記円柱状部材が上記ラインローラやレベルワインダに接触した場合に、これらと緩やかに嵌合する。したがって、この円柱状部材が上記ラインローラ等に係止されたときに生じる衝撃が緩和され、その結果、ライン案内保持具の破損が確実に防止される。
【００１７】
(5) 上記円柱状部材は、弾性部材からなるのが好ましい。
【００１８】
この構成では、上記円柱状部材が上記ラインローラ等に係止されたときに生じる衝撃が一層緩和されるという利点がある。しかも、上記円柱状部材が弾性変形を伴って上記ラインローラ等に係止されるから、フィッシングラインは、一定の弾性力で安定して保持されることになる。
【発明の効果】
【００１９】
本発明によれば、フィッシングラインの先端にライン案内保持具が連結されることにより、フィッシングラインが容易にロッドのラインガイドに挿通されるので、釣人は、釣りを始める際にフィッシングラインを迅速にロッドにセットすることができる。また、リールによってフィッシングラインが巻き取られたときに、上記ライン案内保持具は、フィッシングラインをリールに巻き取られた状態に保持することができるので、釣人は、釣りを終了するときに、フィッシングラインを迅速に収納することができる。
【発明を実施するための最良の形態】
【００２０】
以下、適宜図面が参照されつつ、好ましい実施形態に基づいて本発明が詳細に説明される。
【００２１】
図１は、本発明の一実施形態に係るライン案内保持具の斜視図である。
【００２２】
このライン案内保持具１０は、リールに巻き取られたライン１１の先端１２に装着されるものであって、これにより、後述されるように、釣人は、ライン１１を容易にロッドのラインガイドに挿通することができ、また、ライン１１がリールに確実に保持されるようになっている。
【００２３】
ライン案内保持具１０は、本体１３（線状部材）と、本体に設けられた係止部材１４（円柱状部材）とを備えている。本体１３は、例えばナイロン等の樹脂あるいはゴムその他のエラストマー又はステンレス鋼やチタン−ニッケル合金等の金属からなる。本実施形態では、特に本体１３は、ナイロンからなる。また、本体１３は、断面が円形の細長の紐状に形成されている。本実施形態では、本体１３の外径寸法は、１．０ｍｍに設定されている。もっとも、本体１３の外径寸法は、０．５ｍｍ〜１．５ｍｍの範囲で適宜設定され得る。前述のように、本体１３が樹脂、ゴム又は金属からなり、本体１３の外径寸法が０．５ｍｍ〜１．５ｍｍに設定されることにより、本体１３は、きわめて可撓性に富む。特に、本実施形態では、本体１３がナイロンからなり、しかもその外径寸法が１．０ｍｍに設定されているから、本体１３は、可撓性に加えて弾性にも富む。このように、本体１３が可撓性及び弾性に富むことによる作用効果については、後述される。
【００２４】
本体１３の一端部１５にライン連結具１６が取り付けられている。本実施形態では、このライン連結具１６は、例えば細径のステンレス鋼線等の金属からなる。そして、このステンレス鋼線が本体１３の一端部１５に貫通されることによって当該ライン連結具１６が本体１３に固定されている。本実施形態では、上記ステンレス鋼線が屈曲されることによって、このライン連結具１６の先端部にスリット１７が形成されている。上記ライン１１は、このスリット１７に嵌め込まれることによって固定されるようになっている。なお、図１に示されたライン連結具１６の構成は一例であって、要するにライン１１の先端１２を確実に保持することができるものであれば、他の構造であってもよいことは勿論である。
【００２５】
本体１３の他端１８にフランジ１９が形成されている。このフランジ１９は、本体１３と一体的に形成されている。もっとも、フランジ１９を構成する部材が本体１３に固定されていてもよい。このフランジ１９は、本実施形態では円盤状に形成されている。このフランジ１９の外径寸法は、上記係止部材１４の内径寸法よりも大きく設定されている。したがって、後に詳述されるが、上記係止部材１４が本体１３に対して相対的にスライドした場合に、フランジ１９は、このスライドを規制するストッパーとして機能する。なお、フランジ１９の形状は円盤状に限定されるものではなく、要するに、上記係止部材１４のストッパーとして機能する限り他の形状であってもよい。
【００２６】
上記係止部材１４は、略円柱状に形成されている。本実施形態では、係止部材１４の一端側外径寸法ｄ１は、４．０ｍｍに設定され、他端側外径寸法ｄ２は、８．０ｍｍに設定されている。すなわち、係止部材１４の外径寸法は、一端側から他端側に向かって漸次大きくなっている。なお、係止部材１４は、本実施形態のようにテーパ状に形成されていれば、上記寸法ｄ１は、２．０ｍｍ〜５．０ｍｍの範囲に設定され、また、上記寸法ｄ２は、６．０ｍｍ〜１０．０ｍｍの範囲に設定され得る。もっとも、上記係止部材１４は、テーパ状に形成されていなくてもよいし、円柱状に形成されていなくてもよい。ただし、係止部材１４の最大外径寸法が３．０ｍｍ以上１０．０ｍｍ以下に設定されていればよい。
【００２７】
係止部材１４は、本実施形態ではゴムその他のエラストマーから構成されている。もっとも、係止部材１４は、弾性に富む材料であれば、他のものが採用されてもよい。同図が示すように、係止部材１４の中心に軸方向に貫通する貫通孔２０が設けられており、この貫通孔２０に上記本体１３がスライド可能に貫通している。したがって、この係止部材１４は、上記本体１３に対して相対的にスライドすることができるようになっている。ただし、本実施形態では、上記貫通孔２０の内径寸法は、上記本体１３の外径寸法よりも若干小さく設定されている。これにより、上記本体１３と上記係止部材１４との間に所定の摩擦力が発生するようになっており、したがって、上記係止部材１４は、当該摩擦力を超える力が作用することによって上記本体１３に対してスライドすることができる。
【００２８】
このライン案内保持具１０は、次のようにして使用される。図２〜図５は、本実施形態に係るライン案内保持具１０の使用要領を示す図である。
【００２９】
例えば、ソルトウォータフィッシングにおいては、釣人は、ロッド及びリールを使用する。リールには予め長尺のラインが巻かれており、このラインがリールから引き出されてロッドに設けられた複数のラインガイドに順次挿通される。これにより、リールから引き出されたラインはロッドに沿って配置され、ラインの先端部に所望のルアーが装着される。釣人は、ロッドの弾力を利用してルアーを所望のポイントにキャストし、リールを使用して当該ルアーをリトリーブすることによってターゲットのバイトを誘う。
【００３０】
図２が示すように、リール２１は、ロッド２２に装着される。リール２１から引き出されたライン１１の先端１２は、ライン案内保持具１０の一端部１５に連結される。釣人は、このライン案内保持具１０を手に取り、その他端部２３からロッド２２に設けられた上記ラインガイドに順次挿通する。これにより、ライン１１は、ライン案内保持具１０に導かれてすべてのラインガイドに挿通される。
【００３１】
一方、釣りが終了したときに、釣人は、ライン１１からルアーを外し、このライン１１をリール２１に巻き取る。このとき、釣人は、当該ライン１１の先端１２を再び上記ライン案内保持具１０の一端部１５に連結する。釣人は、リール２１を操作してライン１１を巻き取ることにより、上記ライン案内保持具１０もリールに巻き取られることになる。
【００３２】
ずなわち、図３が示すように、ライン１１に続いてライン案内保持具１０の本体１３がリール２１のラインローラ２４に巻き掛けられ、スプール２５に巻き取られる。このとき、前述のように本体１３が可撓性を備えているので、本体１３は、ライン１１に連続して容易にスプール２５に巻き取られる。
【００３３】
上記本体１３がスプール２５にさらに巻き取られると、図４が示すように、本体１３に設けられた係止部材１４が上記ラインローラ２４に到達する。この係止部材１４の外径寸法、すなわち上記寸法ｄ２は８．０ｍｍに設定されているから、この係止部材１４は、ラインローラ２４を通過することができない。したがって、この係止部材１４は、ラインローラ２４に係止された状態となる。この状態でさらにリール２１が操作されると、上記本体１３が係止部材１４に対してスライドし、本体１３のみがスプール２５に巻き取られる。そして、図５が示すように、本体１３のフランジ１９が係止部材１４に当接した時点で、本体１３の巻取りが規制される。換言すれば、この係止部材１４は、ライン１１がリール２１に巻き取られる際のストッパーとして機能し、このライン１１は、係止部材１４と共にリール２１に保持される。
【００３４】
このように、本実施形態に係るライン案内保持具１０が使用されることにより、釣人は、ライン１１を容易にロッド２２のラインガイドに挿通することができるので、釣りを始める際にライン１１を迅速にロッド２２にセットすることができる。また、釣りが終了したときには、ライン案内保持具１０は、ライン１１をリール２１に巻き取った状態で保持することができるので、釣人は、ライン１１の収納を迅速に行うことができる。
【００３５】
本実施形態では、前述のように上記本体１３が十分な可撓性を備えるから、ライン１１及びライン案内保持具１０のリール２１への巻取りが円滑に行われるという利点がある。しかも、ライン１１をライン案内保持具１０に連結する作業は、図１が示すように、ライン１１の先端１２をライン連結具１６のスリット１７に嵌め込むだけであるから、きわめて簡単であり、迅速に行われるという利点もある。
【００３６】
また、特に本実施形態では、前述のように係止部材１４が上記本体１３に対してスライドすることができるから、ライン１１を巻き取る際に係止部材１４がリール２１のラインローラ２４に到達すると、ライン１１の巻取抵抗が大きくなる。釣人は、この巻取得抵抗を感じることができるので、ライン１１に続いてライン案内保持具１０が順に巻取られていることを認識することができる。その結果、ライン１１の巻取作業中に突然に上記係止部材１４がラインローラ２４に激しく衝突し、ライン案内保持具１０が破損することが回避される。
【００３７】
さらに、上記係止部材１４は、図１が示すように一端側外径寸法ｄ１よりも他端側外径寸法ｄ２が大きく設定されているから、この係止部材１４がラインローラ２４に接触した場合に、ラインローラ２４と緩やかに嵌合する。したがって、この係止部材２４がラインローラ２４に係止されたときに生じる衝撃が緩和され、その結果、ライン案内保持具１０の破損が確実に防止される。特に、上記係止部材１４が弾性に富む材料から構成されているので、この係止部材１４がラインローラ２４に係止されたときに生じる衝撃が一層緩和されるという利点がある。しかも、この係止部材１４が弾性変形を伴ってラインローラ２４に係止されるから、ライン１１は、一定の弾性力で安定して保持されることになる。加えて、本実施形態では、ライン１１が接続された上記本体１３も弾性を備えるから、ライン１１は、一層安定的に保持される。
【００３８】
本実施形態では、リール２１はスピニングタイプのものであるが、本実施形態に係るライン案内保持具１０は、いわゆるベイトリールについても適用され得ることは勿論である。ライン案内保持具１０の本体１３の外径寸法及び係止部材１４の外径寸法は、リールのタイプによって種々設計変更され得るが、本体１３の外径寸法が０．５ｍｍ〜１．５ｍｍの範囲で設定され、係止部材１４の外径寸法が３ｍｍ〜１０ｍｍの範囲で設定されることにより、ライン案内保持具１０は、市販されているほぼすべてのリールに対応することができる。
【産業上の利用可能性】
【００３９】
本発明は、釣用リールの付属品として使用されるライン案内保持具に適用され得る。
【図面の簡単な説明】
【００４０】
【図１】図１は、本発明の一実施形態に係るライン案内保持具の斜視図である。
【図２】図２は、本発明の一実施形態に係るライン案内保持具の使用要領を示す図である。
【図３】図３は、本発明の一実施形態に係るライン案内保持具の使用要領を示す図である。
【図４】図４は、本発明の一実施形態に係るライン案内保持具の使用要領を示す図である。
【図５】図５は、本発明の一実施形態に係るライン案内保持具の使用要領を示す図である。
【図６】図６は、従来の一般的なソルトウォータフィッシング用のタックルを示す図である。
【符号の説明】
【００４１】
１０・・・ライン案内保持具
１１・・・ライン
１２・・・ラインの先端
１３・・・本体
１４・・・係止部材
１５・・・本体の一端部
１８・・・本体の他端
１９・・・フランジ
２０・・・貫通孔
２１・・・リール
２３・・・他端部
２４・・・ラインローラ
【図１】
2007195486.tif 000003
【図２】
2007195486.tif 000004
【図３】
2007195486.tif 000005
【図４】
2007195486.tif 000006
【図５】
2007195486.tif 000007
【図６】
2007195486.tif 000008